(57)【特許請求の範囲】
【請求項１】
屋根上面などの集水個所で集められた雨水を立て管路（１）内を介して自重により流下させ、該流下中に立て管路（１）内の浄化部で浄化処理し、該処理後の清浄な雨水を貯水タンク内に流入させる雨水浄化案内装置において、
前記立て管路（1）内の浄化部に、上側に位置する立て管路（1）の直径よりも大径の開口を有する濾過バケット（５）であって、底面部（５ａ）と周面部（５ｂ）からなる濾過面を有する濾過バケット（５）を、これの開口が上側に位置され、下側の立て管路（１ｂ）の上端に固定された環状の渦発生ガイド（７）の上面に形成された平面視円形の窪み個所（７ａ）に前記底面部（５ａ）を嵌合された正立姿勢に設置し、
且つ前記立て管路（1）の一部をなす管状包囲部材（６）が該濾過バケット（５）の外周囲を液密状に包囲しており、且つ該管状包囲部材（６）は上下移動可能範囲の最下位置まで降下されて下端部が渦発生ガイド（７）の外周囲に密状に外嵌された状態から手操作による締結ボルトの弛緩と上方向の手操作力の付与とにより開放移動されて濾過バケット（５）の横方が開放状態とされ、渦発生ガイド（７）に設けられた通水溝（７ｂ）を通して雨水を下流へ流出させる構造となされており、
このさい前記濾過バケット（５）は前記立て管路（１）内を流下する雨水に混入した枯れ葉などの塵埃を該濾過バケット（５）内方に漉し取ると共に、前記開放移動された状態の下で、該濾過バケット（５）が前記正立姿勢のまま立て管路（１）の横外方へ取り出されることを特徴とする雨水浄化案内装置。
【請求項２】
請求項１記載の雨水浄化案内装置において、前記雨水に混入した状態で濾過バケットの濾過目を透過した砂などの塵埃を、垂直線回りの回転による遠心力と、重力による沈降作用とにより分離するサイクロン式分離機構部を浄化部の一部として形成したことを特徴とする雨水浄化案内装置。

【請求項３】
請求項２記載の雨水浄化案内装置において、前記サイクロン式分離機構部が、前記濾過バケットの下流側の立て管路部分に連続した逆円錐状立て管路部分を備えると共に、前記濾過バケットより下流側で前記逆円錐状立て管路部分の上部よりも上流側となる位置に、前記垂直線回りの回転流れを強制的に発生させる渦発生ガイドを備えることを特徴とする雨水浄化案内装置。
【請求項４】
請求項３記載の雨水浄化案内装置において、前記逆円錐状立て管路部分は最下部の内孔を最上部に流入する雨水量に関連した比較的小さい径の排除流出孔となされており、前記逆円錐状立て管路部分の内方を降下した砂などの塵埃が前記濾過バケットを透過した雨水の一部と共に前記排除流出孔を通じて流出側に連通された排水路へ流出されることを特徴とする雨水浄化案内装置。

【請求項５】
請求項３又は４記載の雨水浄化案内装置において、渦発生ガイドよりも下流側で前記逆円錐状立て管路部分の上部又はこれよりも上方に位置した前記立て管路部分の中心近傍の雨水を貯水タンク内へ向け流出させるための雨水流出管路を形成したことを特徴とする雨水浄化案内装置。

【請求項６】
請求項１〜５の何れか１項に記載の雨水浄化案内装置において、前記濾過バケットよりも上流側の立て管路部分の周壁から溢流管路を分岐させたことを特徴とする雨水浄化案内装置。

【請求項７】
請求項１記載の雨水浄化案内装置において、浄化部として、前記濾過バケットの濾過目を透過した雨水導入する２重の立て管路を有し、前記２重の立て管路は、外側の管と内側の管の間に濾過目を透過した雨水を導入し、外側の管と内側の管の間の容積を超過した雨水を内側の管に導入するよう構成され、内側の管に滞留した雨水を管の上方より貯水タンク内に流入させることを特徴とする雨水浄化案内装置。

【請求項８】
請求項７記載の雨水浄化案内装置において、前記外側の管と内側の管の間及び内側の管の最下部には、流出側に連通された排水路へ雨水を排出する小穴を夫々有することを特徴とする雨水浄化案内装置。

【請求項９】
請求項７記載の雨水浄化案内装置において、前記内側の管の上端部は、前記濾過バケットからの雨水が直接入らないようにするため、外側の管と内側の管の間の容積を超過した雨水を内側の管に導入する導入口を覆う上板が設けられていることを特徴とする雨水浄化案内装置。
【請求項１０】
請求項４又は８のいずれかに記載の雨水浄化案内装置において、前記濾過バケットよりも上流側の立て管路部分の内方と、前記排水路の内方とをバイパス管路で連通させたことを特徴とする雨水浄化案内装置。

【請求項１１】
請求項１０の雨水浄化案内装置において、前記バイパス管路を透明としたことを特徴とする雨水浄化案内装置。
【発明の詳細な説明】
【技術分野】
【０００１】
この発明は、屋根上面などの集水個所に降った雨水を貯水タンクに捕集し、この捕集した雨水を例えば庭木への散水用などとして使用することを可能とする雨水貯溜供給システムに用いられるものであって、集水個所から貯水タンク内へ向け案内される雨水に混入した塵埃を除去するほか、初期雨水が貯水タンク内に流入するのを阻止する雨水浄化案内装置に関する。
【背景技術】
【０００２】
雨水浄化案内装置として、例えば特許文献１又は２に示すようなものが存在している。  これらの文献に開示された雨水浄化案内装置には、雨水中の砂などを除去する濾過部としてのフィルタや、塵埃の混入割合が比較的大きくて大気の影響から酸性となり易い初期雨水を除去するための初期雨水除去装置を備えている。
【０００３】
このさい、フィルタが閉塞したときの清掃のための手段や、フィルタが閉塞したときの排水を確保するための手段の詳細が明示されていないのであり、また初期雨水除去装置はフロートや排水弁機構を具備した比較的複雑な構造となされている。
【０００４】
【特許文献１】特開２００１−１１５５０１号公報
【特許文献２】特開２００１−１１５５０２号公報
【発明の開示】
【発明が解決しようとする課題】
【０００５】
上記雨水浄化案内装置では、濾過部により雨水中から漉し出された枯れ葉や砂などを簡便に雨水通路の外方へ排除できる構造であること、また濾過部の濾過目（透過孔）が砂などの塵埃で閉塞されても集水個所からの雨水の排水が簡便に確保される構造であること、また雨水が濾過部を通過するさいの流動抵抗が小さいこと、さらには成る可く故障し難い構造であることなどが望まれる。
本発明は斯かる事項に対処できるものとした雨水浄化案内装置を提供することを目的とする。
【課題を解決するための手段】
【０００６】
上記目的を達成するため、本発明に係る雨水浄化案内装置は、請求項１に記載したように、屋根上面などの集水個所で集められた雨水を立て管路（１）内を介して自重により流下させ、該流下中に立て管路（１）内の浄化部で浄化処理し、該処理後の清浄な雨水を貯水タンク内に流入させる雨水浄化案内装置において、前記立て管路（1）内の浄化部に、上側に位置する立て管路（1）の直径よりも大径の開口を有する濾過バケット（５）であって、底面部（５ａ）と周面部（５ｂ）からなる濾過面を有する濾過バケット（５）を、これの開口が上側に位置され、下側の立て管路（１ｂ）の上端に固定された環状の渦発生ガイド（７）の上面に形成された平面視円形の窪み個所（７ａ）に前記底面部（５ａ）を嵌合された正立姿勢に設置し、且つ前記立て管路（1）の一部をなす管状包囲部材（６）が該濾過バケット（５）の外周囲を液密状に包囲しており、且つ該管状包囲部材（６）は上下移動可能範囲の最下位置まで降下されて下端部が渦発生ガイド（７）の外周囲に密状に外嵌された状態から手操作による締結ボルトの弛緩と上方向の手操作力の付与とにより開放移動されて濾過バケット（５）の横方が開放状態とされ、渦発生ガイド（７）に設けられた通水溝（７ｂ）を通して雨水を下流へ流出させる構造となされており、このさい前記濾過バケット（５）は前記立て管路（１）内を流下する雨水に混入した枯れ葉などの塵埃を該濾過バケット（５）内方に漉し取ると共に、前記開放移動された状態の下で、該濾過バケット（５）が前記正立姿勢のまま立て管路（１）の横外方へ取り出されることを特徴とするものである。
【０００７】
この発明は次のように具体化するのがよい。
【０００８】
請求項２に記載したように、前記雨水に混入した状態で濾過バケットの濾過目を透過した砂などの塵埃を、垂直線回りの回転による遠心力と、重力による沈降作用とにより分離するサイクロン式分離機構部を浄化部の一部として形成する。
【０００９】
また請求項３に記載したように、前記サイクロン式分離機構部が、前記濾過バケットの下流側の立て管路部分に連続した逆円錐状立て管路部分を備えると共に、前記濾過バケットより下流側で前記逆円錐状立て管路部分の上部よりも上流側となる位置に、前記垂直線回りの回転流れを強制的に発生させる渦発生ガイドを備える構成とする。
【００１０】
このさい、請求項４に記載したように、前記逆円錐状立て管路部分は最下部の内孔を最上部に流入する雨水量に関連した比較的小さい径の排除流出孔となされており、前記逆円錐状立て管路部分の内方を降下した砂などの塵埃が前記濾過バケットを透過した雨水の一部と共に前記排除流出孔を通じて外方へ流出される構成とする。
【００１１】
また請求項５に記載したように、渦発生ガイドよりも下流側で前記逆円錐状立て管路部分の上部又はこれよりも上方に位置した立て管路部分の中心近傍の雨水を貯水タンク内へ向け流出させるための雨水流出管路を設けた構成とする。
【００１２】
また請求項６に記載したように、濾過バケットよりも上流側の立て管路部分の周壁から溢流管路を分岐させた構成としてもよい。
【００１３】
さらには請求項１０に記載したように、濾過バケットよりも上流側の立て管路部分の内方と、排水路の内方とをバイパス管路で連通させた構成とする。
【発明の効果】
【００１４】
本発明によれば、次のような効果が得られる。
即ち、請求項１に記載のものによれば、立て管路内の浄化部に濾過バケットを、これの開口が上側に位置され底面が下側に位置された正立姿勢に設置し、且つ前記立て管路の一部が手操作による締結ボルトの弛緩と手操作力の付与とにより開放移動されて濾過バケットの横方が開放される構造となされており、このさい前記濾過バケットは前記立て管路内を流下する雨水に混入した枯れ葉などの塵埃を該濾過バケット内方に漉し取ると共に、前記開放移動された状態の下で、濾過バケットが前記正立姿勢のまま立て管路外の横方へ取り外されるものとなされているため、濾過バケットを立て管路内から取り出して、濾過目の詰まり状況を点検したり或いは濾過バケットに漉し取られた枯れ葉などの塵埃を除去するさいに、用具を使用する必要がないために極めて簡便且つ迅速に処理することができ、濾過バケットを正立姿勢で取り出すことができるため、その内方に漉し出された塵埃を落下させることなく的確に処理することができる。
【００１５】
さらに、管状包囲部材を上下何れかへ移動させた状態の下で、立て管路内から濾過バケットをこれの横外周囲の広い範囲内での任意な方向へ取り出すことが可能となり、立て管路内からの濾過バケットの取り出しやその復旧処理が便利に行えるようになる。
【００１６】
また請求項２記載のものによれば、請求項１記載の発明と同様な効果が得られる上に次のような効果が得られるのであって、即ち、濾過バケットの濾過目を通過した砂などの塵埃を流動抵抗の少ない状態で且つフロートや弁装置を使用しない簡易な構造により除去することができるのであり、さらには除去した砂などの塵埃が流動抵抗を増大させることのないものとなすことができる。
【００１７】
また請求項３記載のものによれば、請求項２記載の発明と同様な効果が得られる上に次のような効果が得られるのであって、即ち、渦発生ガイドの存在により動力を要することなく少ないスペースで逆円錐状立て管路部分内に安定的に渦を発生させることができ、砂などの塵埃を効率的に除去することのできるものである。
【００１８】
また請求項４記載のものによれば、請求項３記載の発明と同様な効果が得られる上に次のような効果が得られるのであって、即ち、砂などの塵埃を連続的に排水管路に流出させることができるのであり、また降雨の初期雨水を人為操作を要することなく排水管路へ流出させて排除することができ、貯水タンク内に初期雨水の排除された清浄な雨水を溜めることができる。
【００１９】
また請求項５記載のものによれば、請求項3又は４記載の発明と同様な効果が得られる上に次のような効果が得られるのであって、即ち、渦の成長する高さ位置の立て管路中心近傍に、砂などの塵埃が効果的に除去された状態の清浄な雨水が存在するようになり、この雨水を貯水タンク内に流下させることができる。
【００２０】
また請求項６記載のものによれば、請求項１〜５の何れか１項に記載の発明と同様な効果が得られる上に次のような効果が得られるのであって、即ち、濾過バケットに枯れ葉などの塵埃が閉塞したとき、或いは時間当たりの降雨量が雨水流出管路からの流出可能量に比べて大き過ぎるときには、濾過バケットより上側の立て管路内に雨水が滞留していき、異形チーズ継ぎ手の枝管よりも高くなることが生じるが、このような場合には立て管路内に流入した雨水は溢流管から排水され、集水個所からの雨水の流下が確保される。
【００２１】
また請求項１０記載のものによれば、請求項４又は８のいずれか１項に記載の発明と同様な効果が得られる上に次のような効果が得られるのであって、即ち、濾過バケットに枯れ葉などの塵埃が閉塞したとき、或いは時間当たりの降雨量が雨水流出管路からの流出可能量に比べて大き過ぎるときには、濾過バケットより上側の立て管路内に雨水が滞留していくのであり、このさい異形チーズ継ぎ手の枝管よりも高くなることが生じるが、このような場合には立て管路内に流入した雨水はバイパス管路から排水され、集水個所からの雨水の流下がコンパクトな構成により確保される。
【発明を実施するための最良の形態】
【００２２】
以下、本発明の実施例について図面を参照して説明する。
図１は本実施例に係る雨水浄化案内装置の使用された雨水貯溜供給システムを示す正面視説明図、図２は前記雨水貯溜供給システムの貯水タンク周辺を示す平面図、図３は前記雨水貯溜供給システムの貯水タンク周辺を示す左側面図である。
【００２３】
そして、図４は本実施例に係る雨水浄化案内装置に係り一部を断面で示した拡大正面図、図５は前記雨水浄化案内装置の一部を示した平面図、図６は前記雨水浄化案内装置の一部を開放した様子を示す正面視説明図である。
【００２４】
図１〜図３において、１００は本実施例に係る雨水浄化案内装置であり、また１０１は貯水タンク、そして１０２は水供給ポンプである。これら雨水浄化案内装置１００や貯水タンク１０１などからなる雨水貯溜供給システムは例えば一戸建て住宅などに設置されて使用される。
【００２５】
雨水浄化案内装置１００は、貯水タンク１０１近傍に任意な支持手段を介して固定された立て管路１を備えている。該立て管路１は、例えば呼び径７５Ａ程度の塩化ビニール管などで形成されていて、一戸建て住宅の屋根上面などの集水個所に降った雨水が重力作用により樋や通水管などを経て上方から流入するものとなされている。
【００２６】
立て管路１には浄化部２が形成されており、該浄化部２はバケット式濾過部３と、サイクロン式分離機構部４とからなっている。
【００２７】
バケット式濾過部３は、図４〜図６に示すように、立て管路１内に位置された濾過バケット５と、該濾過バケット５の外周囲を液密状に包囲し且つ立て管路１の長さ方向の一部をなしている管状包囲部材６とを備えている。濾過バケット５は底面部５ａ及び周面部５ｂからなる濾過面を有し、該濾過面に濾過目である多数の透孔を形成されると共に、上面のほぼ全体を開口となされており、使用中には、これの上側に位置する立て管路部分１ａと、これの下側に位置する立て管路部分１ｂとの間に、開口を上側に位置され底面５ａを下側に位置された正立姿勢で配置され、下側の立て管路１ｂの上端に固定された渦発生ガイド７の上面に形成された平面視円形の窪み個所７ａに底面部５ａを嵌合された状態となされて支持されている。このさい、上側に位置する立て管路１ａは濾過バケット５の上面の開口の直径よりも小径であり且つ該開口と略同心に配置されている。
【００２８】
一方、管状包囲部材６は呼び径１５０Ａ程度の管部材で形成された周壁部６ａと、該周壁部６ａの上端面に固着された環状の上面板６ｂと、該上面板６ｂの内孔個所から上方へ立ち上がり状となるように固着され上側の立て管路１ａの周壁部に上下動可能に外嵌される筒部材６ｃとを備え、筒部材６ｃの周壁部にはナット部材８を固着されると共に該ナット部材８に手操作用摘みの形成された締結ボルト８ａが螺合された構成となされている。立て管路１内を雨水が流下するとき、管状包囲部材６は、図４に示すように上下移動可能範囲の最下位置まで降下されて下端部が渦発生ガイド７の外周囲に密状に外嵌された状態となされ且つ締結ボルト８ａを締結側へ回し操作されて、立て管路１に同体状且つ略液密状に固定された状態となされる。したがって、管状包囲部材６は立て管路１の一部として機能する。
【００２９】
渦発生ガイド７は、図５に示すような環状となされると共に、立て管路１の中心線ａ１回りの一定角度間隔位置のそれぞれに半径方向に対し平面視で数十度程度傾斜した矢印方向ａ２の水流れを生成させるための通水溝７ｂを形成したものとなされている。
各通水溝７ｂは、雨水がこれの上側から流入して下側へ流出するとき、下側の立て管路１ｂの内壁面に沿う傾向の水流れを生成させ、渦発生ガイド７の下側近傍に中心線ａ１回りの矢印方向ａ２側へ旋回する渦を発生させるように機能する。
【００３０】
サイクロン式分離機構部４は、渦発生ガイド７の直下に位置して渦生成空間として機能する呼び径１２５Ａ程度の前記立て管路部分１ｂと、該立て管路部分１ｂに連続して下方へ延びた逆円錐状立て管路部分８と、立て管路１内の雨水を貯水タンク１０１へ流出させるための雨水流出管路９とを備えている。
【００３１】
逆円錐状立て管路部分８は最上部を呼び径１２５Ａの管の直径と同等となされ、且つ最下部を呼び径７５Ａの管の直径と同等となされると共に、全長を例えば２５０ｍｍ〜４５０ｍｍの範囲内の長さとなされる。このさい、上記最下部の内方には砂などを排出するための孔であって直径を砂の閉塞しない程度の大きさ（例えば３〜５ｍｍ程度）となされた排除流出孔１０が形成される。このような形態となされた逆円錐状立て管路部分８の内方では、砂などの混入物が渦発生ガイド７の発生させた渦に伴う回転移動に基づく遠心力と、混入物に作用する重力とにより、逆円錐状立て管路部分８の内周面に沿って回転しながら沈降するため、排除流出孔１０の上方から排除流出孔１０に到達するまでの、逆円錐状立て管路部分８の内周面は漸次に小径化させるのが好ましい。
【００３２】
そして雨水流出管路９は、逆円錐状立て管路部分８の上部或いはこれよりも幾分上方の中心位置近傍の雨水を流出させるように形成されると共に、渦発生ガイド７の下流側で逆円錐状立て管路部分８の上部となる高さ範囲内に位置され横向き管路部分９ａを逆円錐状立て管路部分８の周壁部に固着される。このさい、雨水流出管路９は渦発生ガイド７から例えば立て管路部分１ｂの直径の０．８倍以上の距離だけ下方へ離して位置させると共に下側から雨水を流入させる垂直状の流入始端部９ｂを具備したものとなすのであり、このようにすれば渦発生ガイド７で発生される渦の成長が雨水流出管路９で妨げられる度合いが抑制されると共に、砂などの混入物は自身の公転により逆円錐状立て管路部分８の内方の外周側へ移動されるため流入始端部９ｂ内に流入する雨水が砂などの混入物を雨水流出管路９内に誘い込み難い状態となる。
【００３３】
１１は雨水流出管路９に接続された雨水案内管であり、雨水流出管路９から流出した雨水を貯水タンク１０１に導くものである。また１２は排除流出孔１０に連通された呼び径７５Ａ程度の排水管路であり、排除流出孔１０から流出した雨水や、これに含まれる砂などの混入物を他所へ流下させるものである。
【００３４】
排水管路１２の内方と、上記濾過バケット５よりも上流側の立て管路部分１ａとは呼び径５０Ａのバイパス管路１３で連通されている。該バイパス管路１３は、濾過バケット５が閉塞するなどして立て管路部分１ａ内に雨水が滞留したときに該雨水を排水管路１２内へ流下させる溢流管として機能するものである。
【００３５】
したがって、該バイパス管路１３は立て管路部分１ａ内に雨水が滞留することなく流下している状態では、雨水がバイパス管路１３内へ流入し難い通路構造となされるのであり、具体的には立て管路部分１ａの長さ途中に異形チーズ継ぎ手１４を設け、該異形チーズ継ぎ手１４の枝管１４ａを延長するようになされる。
【００３６】
貯水タンク１０１は樹脂材からなり、容量は例えば５００リットル〜１０００リットル程度のものとなされるのであって、上面にはポンプ据付座１５が形成されると共に蓋１６で開放可能に覆われた比較的大きな開口が形成され、左側面には雨水案内管１１を接続される雨水流入口１７が形成されている。
【００３７】
また給水ポンプ１０２の左側に形成された水吸引口１８からは吸水管１９が延出され貯水タンク１０１の上面の開口を通じて貯水タンク１０１内方の底部まで導かれており、また給水ポンプ１０２の正面に２つの標準吐出口２０ａ、２０ｂが設けられ、そして背面側に１つの予備吐出口２０ｃが設けられていて、これら吐出口２０ａ、２０ｂ、２０ｃのうちの任意なものが使用状態となされ、不使用のものは板部材などで閉塞されるようになされている。
【００３８】
貯水タンク１０１の上面には減水検出装置２１が配設されると共に該減水検出装置２１の検出要部２１ａであるフロートが貯水タンク１０１の上面の開口を通じてその内方へ導入されており、貯水タンク１０１内の水位が例えば特定レベルｂ１以下となったときに該状態を減水検出装置２１が電気的に検出して信号を発し給水ポンプ１０２の電気制御部や警報発生部に伝達するものとなされている。
【００３９】
該電気制御部は減水検出装置２１の前記信号を伝達されることにより、給水ポンプ１０２の電気駆動部を停止させると共に、貯水タンク１０１内の水位が特定レベルより高くなったとき減水検出装置２１の発した信号が消失して、給水ポンプ１０２を作動可能状態に復帰させる構成となされている。
【００４０】
さらに貯水タンク１０１の右側面には図示しない水道管に接続される水道水供給口２２が形成されており、該水道水供給口２２の貯水タンク１０１内方側にフロート弁２３が設けられている。該フロート弁２３は貯水タンク１０１の水位をフロート２３ａで検出し、該水位が特定レベルｂ２より高くなったときに弁部２３ｂを閉鎖させ、特定レベルｂ２以下となったときそれを開放するように作動するものである。そして２４は溢流口であり、貯水タンク１０１内の水位が特定レベルｂ２よりも一定程度高くなったとき貯水タンク１０１内の水が溢流するようになされている。
なお、２５は給水ポンプ１０２の電源ケーブルであり、２６は貯水タンク１０１のドレン抜き口部である。
【００４１】
次に上記した雨水貯溜供給システムの取扱いや作用などについて説明する。
電源ケーブル２４から給電して、給水ポンプ１０２、減水検出装置２１などの作動し得る状態とする。また水道水供給口２２は水道管に図示しない止め弁を介して接続させる。
【００４２】
この状態の下で降雨が始まると、屋根上面などの集水個所に雨水が受け止められて、図示しない樋に集水され、続いて立て管路１内を重力作用により流下する。この雨水は濾過バケット５の濾過目が枯れ葉などで閉塞されない限り、立て管路１内に一定量以上に滞留することはないのであり、したがって、雨水はバイパス管路１３内に流入することは生じない。
【００４３】
濾過バケット５に到達した雨水はこれに含まれる枯れ葉などの比較的大きな塵埃を濾過バケット５の側周面や底面に形成された比較的大きな透孔群からなる濾過目で濾過バケット５内に漉し取られる。こうして比較的大きな塵埃が除去された後の雨水は渦発生ガイド７に到達し、ここで幾分滞留する状態となって、濾過バケット５の底面部５ａで覆われた渦発生ガイド７の通水溝７ｂ内を経て矢印方向ａ２の下方へ流動する。各通水溝７ｂを通じた矢印方向ａ２の水流は立て管路部分１ｂ内を経て逆円錐状立て管路部分８内に到達し、ここに到達した雨水の一部は排除流出孔１０から排出管路１２内へ流出し、それ以外の雨水が漸次に滞留していき、排出管路１２からの流出流量に関連した一定時間が経過して、逆円錐状立て管路部分８内の雨水流出管路９よりも高い一定レベルに達したとき、雨水流出管路９を通じて外方へ流出し始める。
【００４４】
降雨が始まって例えば数十分程度の時間が経過するまでの初期雨水は塵埃の混入が著しく多く、且つ大気汚染の影響で酸性となっていることが多いのであるが、このようなものは前記一定時間が経過するまでに排除流出孔１０から排水管路１２内へ流出され、貯水タンク１０１内に流入することはない。
【００４５】
雨水流出管路９を通じて貯水タンク１０１内に雨水が流入し始めた後にも、時間当たり降雨量が一定程度以上の降雨が継続されると、立て管路１内に流入する雨水は浄化部２で浄化されつつ雨水流出管路９を通じて貯水タンク１０１内に流入し続ける。このような流入が継続するとき、渦発生ガイド７を経た雨水は立て管路部分１ｂ内でその中心線ａ１回りへ旋回流動しつつ下方へ流れて定常的な渦となり、この後、この渦の一定深さの中心に位置する雨水が流れ方向を真上方向側へ変化されて雨水流出管路９の垂直な流入始端部９ｂ内に流れ込むようになる。このような流入始端部９ｂ内への雨水の流れは逆円錐状立て管路部分８内での渦流れを乱さない上で寄与するものである。
【００４６】
逆円錐状立て管路部分８内に達した雨水は既に比較的大きな塵埃を濾過バケット５で除去されているため、これに混入している塵埃は比較的小さい砂や土などが主な成分となる。これら砂や土などは立て管路部分１ｂや逆円錐状立て管路部分８の内方で発生した渦の回転により遠心力を付与されると共に重力が作用するものとなるため、立て管路部分１ｂや逆円錐状立て管路部分８の内周面近傍を雨水の旋回力を受けて旋回しながら重力作用で沈降していくように動作し、排除流出孔１０に到達したときに特定流量以下で排出管路１２側へ流下する雨水と共に排出管路１２内へ流出する。したがって、雨水流出管路９を通じて流出する雨水は砂や土などの混入物を除去されたものとなる。
【００４７】
降雨が止むと、立て管路１内に雨水が流入しなくなるため、雨水は雨水流出管路９から流出しなくなって貯水タンク１０１内には流入しなくなる。この状態になった後にも、逆円錐状立て管路部分８内に滞留した雨水は排除流出孔１０から流出を続けるため、適当時間（例えば数十分程度）の経過の後に逆円錐状立て管路部分８内から完全に排除される。これにより、次の降雨時における初期雨水が貯水タンク１０１内に流入することは既述の作用により阻止される。
【００４８】
上記のような雨水の処理において、濾過バケット５内に枯れ葉が過度に多く漉し出されてその濾過目が閉塞されると、雨水が濾過バケット５を通過して流下することができなくなって濾過バケット５よりも上側の立て管路１ａ内に雨水が滞留するようになる。この滞留した雨水が異形チーズ継ぎ手１４の枝管１４ａ高さに達したとき、雨水はバイパス管路１３を通じて排水管路１２内へ直接に流出するようになる。したがって、屋根上面などの集水個所から立て管路１内に流入した雨水は支障なく排水され、集水個所の雨水の排水が妨げられることは生じない。
【００４９】
濾過バケット５はその濾過目の閉塞状況を定期的に点検し掃除するのがよいのであり、掃除を実施するときは、締結ボルト８ａを手操作力で回転させて弛緩させた後、図６に示すように、管状包囲部材６を上側の立て管路部分１ａに沿って上方へ移動させた状態となし、この状態の下で、濾過バケット５を数ｍｍ程度上方へ移動させ、次に横方へ引き出すようにして立て管路１の外方へ取り出すのであり、この取り出した濾過バケット５を立て管路１内に戻すときは上記した手順の逆を実行する。
【００５０】
貯水タンク１０１が満水状態となった後は、貯水タンク１０１に設けた溢流管２４から貯水タンク１０１内の雨水が流出する。貯水タンク１０１内に溜まった清浄な雨水は給水ポンプ１０２を作動させて庭木に散水するなどして使用するのであり、このさい、貯水タンク１０１内の雨水が特定レベルｂ１以下となったときは減水検出装置２１がそれを検出して、給水ポンプ１０２の電気駆動部への給電をその電気制御部を介して遮断すると共に、必要に応じ図示しない適宜な警報器を作動させる。
【００５１】
貯水タンク１０１内の雨水の量が不十分な状態で給水ポンプ１０２による給水を実施するさいには水道水供給口２２への水供給ライン途中の図示しない止め弁を開放し水道水が水道水供給口２２に供給される状態とする。これにより、水道水が水道水供給口２２及びフロート弁２３を通じて貯水タンク１０１内に供給され、貯水タンク１０１内の水位が水供給停止レベルに達したとき、フロート弁２３が閉鎖されて水道水の供給が停止されるのであり、また貯水タンク１０１内の水位が水供給開始レベルまで降下したとき、フロート弁２３が開放され水道水の供給が開始される。これにより貯水タンク１０１内の水は常に一定レベル範囲内に確保される。
【００５２】
なお、上記実施例では管状包囲部材６が上側へ移動されて濾過バケット５の横外方が開放されるものとなされたが、管状包囲部材６が下側へ移動されて濾過バケット５の横外方が開放されるものとなすことも差し支えない。
またバイパス管路１３は末端を排出管路１２に連通させないで任意な他所へ開放させた単純な溢流管となしても差し支えない。
【００５３】
さらに、バイパス管路１３の材用として透明な材料を利用することもでる。このようにすれば、濾過バケット５内に枯れ葉が過度に多く漉し出されてその濾過目が閉塞され、雨水が濾過バケット５を通過して流下することができなくなって濾過バケット５よりも上側の立て管路１ａ内に雨水が滞留して、雨水が専らはバイパス管路１３を通じて直接に流出することが容易に確認することができるようになる。この結果、濾過バケット５の清掃をユーザに促すことができる。
【００５４】
図７は、他の実施例に係る雨水浄化案内装置の一部を断面で示した正面図であり、図８は前記雨水浄化案内装置の一部を開放した様子を示す正面視説明図である。
【００５５】
本実施例においては、先の実施例における浄化部２を構成するサイクロン式分離機構部４を変更するものであり、それ以外については同様であるので、同じ引用符号を付してある。
【００５６】
本実施例においては、逆円錐状立て管路部分８の中心部に、逆円錐状立て管路部分８の最下部を呼び径の半分程度（略４０ｍｍ）とした小径の沈降分離管３０を備えた２重の立て管構造となっている。沈降分離管３０の上部には、逆円錐状立て管路部分８の雨水を導入するために管を斜めに切り取った切欠３４が設けられており、その上にはバケット式路下部３から直接雨水が沈降分離管３０に浸入することを防ぐ上板３５が設けられている。また、沈降分離管３０の上部の切欠３４と対抗する位置に、横向き管路部分９ａの入水口がされ固着される。また、沈降分離管３０は、立て管路部分１ｂの中央やや上方より逆円錐状立て管路部分８の最下部まで延長されており、最下部においては、小穴３１（直径３ｍｍ程度）が設けられており、排出管路１２に通じている。一方、逆円錐状立て管路部分８の最下部には、管路部分８の内側面と沈降分離管３０との間に対角線上に２つの小穴３３（直径３ｍｍ程度）が設けられており、排出管路１２に通じている。
【００５７】
図８は、沈降分離管３０の上部の構造を説明する斜視図である。上板３５は沈降分離管３０の外形よりも大きい円形状の板であり、切欠３４と横向き管路部分９ａを結ぶ仮想線Ｐ上において、上板３５の中心位置Ｏ’は、沈降分離管３０の中心位置Ｏに対して切欠３４に偏心している。このため、切欠３４の上方には、上板３５から覆いかぶさった部分３５ａを有することになり、バケット式路下部３から直接雨水が沈降分離管３０に直接浸入することを防いでいる。
【００５８】
このような構成とすることにより、矢印Ｐの通りまず雨水は逆円錐状立て管路部分８の底まで落水し、小穴３３にて排水しながら徐々に水位が上昇、沈降分離管３０の上方より管の底に落水する。沈降分離管３０内においても小穴３１にて排水しながら水位が上昇し、横向き管路部分９ａに至ることになる。この結果、逆円錐状立て管路部分８と沈降分離管３０の容積内で砂は自然沈降し、浄化水のみが貯水タンクに流れ込むような比重分離構造とした。
【００５９】
本実施例においては、先の実施例と比べ、沈降分離管３０の存在により逆円錐状立て管路部分８での渦による遠心力と重力の作用についての効果は小さいものとなるため、渦発生ガイド７は省略しても構わない。前述のように、降雨が始まって例えば数十分程度の時間が経過するまでの初期雨水は塵埃の混入が著しく多く、且つ大気汚染の影響で酸性となっていることが多い。よって本実施例においては、むしろ、前記一定時間が経過するまでに逆円錐状立て管路部分８と沈降分離管３０の容積量により滞留させておくことにより、砂などの比重のあるものを自然沈降させる点において効果を奏するものである。
【００６０】
さらに、本実施例においては、小穴３１および小穴３３を省略することもできる。この場合、雨水に交じった砂を常時、排出することができなくなるが、管路部分８と沈降分離管３０の容積量により自然沈降させるという効果は発揮される。
【図面の簡単な説明】
【００６１】
【図１】本実施例に係る雨水浄化案内装置の使用された雨水貯溜供給システムを示す正面視説明図である。
【図２】前記雨水貯溜供給システムの貯水タンク周辺を示す平面図である。
【図３】前記貯水タンク周辺を示す左側面図である。同じく正面図である。
【図４】本実施例に係る雨水浄化案内装置に係り一部を断面で示した拡大正面図である。
【図５】前記雨水浄化案内装置の一部を示した平面図である。
【図６】前記雨水浄化案内装置の一部を開放した様子を示す正面視説明図である。
【図７】他の実施例となる雨水浄化案内装置を示す図である。
【図８】沈降分離管３０の上部斜視図である。
【符号の説明】
【００６２】
１００  雨水浄化案内装置
１０１  貯水タンク
１ａ  濾過バケット５よりも上流側の立て管路部分
１ｂ  濾過バケット５の下流側の立て管路部分
１  立て管路
２  浄化部
５  濾過バケット
５ａ  底面部
６  管状包囲部材
４  サイクロン式分離機構部
７  渦発生ガイド
８  逆円錐状立て管路部分
８ａ  締結ボルト
９  雨水流出管路
１０  排除流出孔
１２  排水管路（排水路）
１３  溢流管路（バイパス管路）
【図１】
0005296347.tif 000002
【図２】
0005296347.tif 000003
【図３】
0005296347.tif 000004
【図４】
0005296347.tif 000005
【図５】
0005296347.tif 000006
【図６】
0005296347.tif 000007
【図７】
0005296347.tif 000008
【図８】
0005296347.tif 000009